(57)【要約】      （修正有）【課題】絶縁被覆の厚さや硬さが異なる電線の絶縁被覆の剥離が円滑に行える絶縁被覆剥離工具を提供する。【解決手段】下顎１Ａを先端に備えた主把手１の中間部に副把手２を枢着した工具本体の先端側に、両把手の開度を小さくしたとき電線を挟持する電線保持機構と、この電線の絶縁被覆を切断して基方に引き出す被覆剥離機構とを設ける。下顎１Ａにこの下顎に対して接離方向に移動する押さえ部材４の突出部と当接し、前記電線保持機構の上下の保持部４ａと被覆剥離機構の上下の刃１５の最接近時の間隙寸法を調節する調節ねじ１３を設けた。【選択図】図２
0003160163.tif 000002
【実用新案登録請求の範囲】
【請求項１】
下顎を先端に備えた主把手の中間部に副把手を枢着した工具本体の先端側に、両把手の開度を小さくしたとき電線を挟持する上下の保持部からなる電線保持機構と該電線の絶縁被覆を切断して基方に引き出す上下の刃と剥離刃とからなる被覆剥離機構とを設けてなる絶縁被覆剥離工具において、下顎に該下顎に対して接離方向に移動する押さえ部材に設けられた突出部と当接し、上記電線保持機構の上下の保持部と上記絶縁被覆剥離機構の上下の刃の最接近時の間隙寸法を調節する調節ねじが設けられたことを特徴とする電線の絶縁被覆剥離工具。
【考案の詳細な説明】
【技術分野】
【０００１】  本考案は、シースケーブルのような平形被覆電線の絶縁被覆を剥離する電線の絶縁被覆剥離工具に関するものである。
【背景技術】
【０００２】  平形被覆電線の絶縁被覆剥離工具としては、特許文献１に記載される工具が知られている。この工具は、下刃が固定された下顎を先端に備えた一方の把手の中間部に他方の把手を枢着してなる工具本体の先端側に、両把手の開度を小さくしたとき電線を挟持する電線保持機構を設けると共に、この電線保持機構の基方側に電線の絶縁被覆を切断して基方に引き出す移動自在な上刃と、切断された絶縁被覆下面に食い込んで上刃と共に絶縁被覆を基方に引き出す移動自在な剥離刃とを設けたものである。
【先行技術文献】
【特許文献】
【０００３】
【特許文献１】特公昭６１−２２５２８号公報
【考案の概要】
【考案が解決しようとする課題】
【０００４】  上述した従来の絶縁被覆剥離工具は、把手を握った際、まず工具の先端側に設けられた電線保持機構が電線を移動不可に挟持すると共に、この挟持部分の基方側で上刃と下刃及び剥離刃が被覆に食い込み、次いで上刃と剥離刃が同期して基方側に移動することにより、芯線からその周囲を覆った絶縁被覆を引き抜くようになっていた。ここにおいて、絶縁被覆を引き抜く動作の前に、上刃と下刃が絶縁被覆に食い込む量（寸法）は、芯線を傷付けず、かつ円滑に絶縁被覆が剥離できるように、工具の設計段階において予め工具側で、設定されていた。【０００５】  一方、加工される対象の被覆電線は、近年、環境意識の高まりから、環境に優しい材料や、環境への影響を低減した材料を用いた所謂、エコ電線／エコケーブルと称されるものが開発され、次第に従来の塩ビケーブルに代わって普及してきている。しかしながら、このエコ電線／エコケーブルは、いまだ開発競争の途上にあり、メーカーによって使用される絶縁被覆の材料が異なり、このことからその厚みや硬さに差があり、また、材質によっては温度により硬さが大幅に変化するものもあった。【０００６】  したがって、塩ビケーブルを対象に開発された今までの絶縁被覆剥離工具を用いてこの種のエコ電線／エコケーブルを加工しようとすると、芯線が傷付いたり、円滑に絶縁被覆が剥離できないという問題が生じた。【０００７】  本考案は、上記の問題点を改善し、塩ビケーブルはもとより、エコ電線のように絶縁被覆の厚さや硬さが異なる種々の電線の加工が可能なように、絶縁被覆剥離工具を対応させることを課題とする。
【課題を解決するための手段】
【０００８】  上記の課題を解決するために、本考案の電線被覆剥離工具は、下顎を先端に備えた主把手の中間部に副把手を枢着した工具本体の先端側に、両把手の開度を小さくしたとき電線を挟持する上下の保持部からなる電線保持機構と該電線の絶縁被覆を切断して基方に引き出す上下の刃と剥離刃とからなる被覆剥離機構とを設けてなる絶縁被覆剥離工具において、下顎に該下顎に対して接離方向に移動する押さえ部材に設けられた突出部と当接し、上記電線保持機構の上下の保持部と上記絶縁被覆剥離機構の上下の刃の最接近時の間隙寸法を調節する調節ねじを設けたことを特徴とする。
【考案の効果】
【０００９】  以上の通り、本考案の電線被覆剥離工具では、下顎に該下顎に対して接離方向に移動する押さえ部材に設けられた突出部と当接し、絶縁被覆剥離機構の上下の刃の最接近時の間隙寸法を規制する調節ねじを設けたので、被覆の硬さや厚みに応じて、被覆剥離時に上下の刃が絶縁被覆に食い込む量を調節することができ、従来から多く用いられている塩ビケーブルはもとより被覆の厚さや硬さが異なるエコケーブルに対しても芯線を傷つけることなく、円滑にかつ作業能率良く絶縁被覆を剥離することができるという効果がある。
【図面の簡単な説明】
【００１０】
【図１】本考案の好ましい実施の形態を示した正面図である。
【図２】本考案の好ましい実施の形態を示した一部切欠側面図である。
【図３】本考案の好ましい実施の形態を示した平面図である。
【図４】被覆剥離開始時の状態を示した説明図である。
【図５】被覆剥離完了時の状態を示した説明図である。
【考案を実施するための形態】
【００１１】  下顎を先端に備えた主把手の中間部に副把手を枢着した工具本体の先端側に、両把手の開度を小さくしたとき電線を挟持する上下の保持部からなる電線保持機構と該電線の絶縁被覆を切断して基方に引き出す上下の刃と剥離刃とからなる被覆剥離機構とを設けてなる絶縁被覆剥離工具において、下顎に上下の刃の間隙寸法を調節する調節ねじを設けた。
【実施例】
【００１２】  以下、添付図面に従って一実施例を詳細に説明する。本考案の電線の絶縁被覆剥離工具は、主把手１と該主把手１に枢着された挟動操作用の副把手２、および該副把手２とリンク３を介して連結された押さえ部材４や上刃保持部材５などで構成された工具本体に、電線を挟持する上下の保持部４ａ，１ａからなる電線保持機構と、電線の絶縁被覆を切断して基方に引き出す上下の刃１４，１５と剥離刃１７とからなる被覆剥離機構とを設けたものである。【００１３】  主把手１は、その先端（図２において左側）をＬ字型に側方（図３において下方）に張り出させて下顎１Ａとし、この下顎１Ａの上面を電線保持機構の下側の保持部１ａとしたものであり、この保持部１ａ上には、剥離動作時に電線の絶縁被覆に切り込ませる下刃１５と電線を位置決めするガイド１６とが工具の軸線（図３において左右方向）と直交する方向に平行に立設されている。前記ガイド１６は、シースケーブルのような平形被覆電線を、その外側の被覆や内側の被覆が係合することにより位置決め保持できるように、それぞれに対応した形状の二つの保持凹部１６ａ，１６ｂを、櫛歯状に立設されたガイド片１６ｃ，１６ｄ，１６ｅ間に設けたものであり、このガイド片１６ｃ，１６ｄ，１６ｅの先端（図３において上側）は、後述する上刃１４の刃部傾斜面に沿うように前方（図２において左方）に屈曲されている。【００１４】  また、この下顎１Ａには、本考案が要部とする調節ねじ１３が、その先端を上方に出没可能なように、下顎１Ａを上下方向に貫通するように取り付けられている。【００１５】  さらに主把手１の先端に設けられた下顎１Ａの基部には、副把手２の先端がロールピン７により回動自在に枢着されており、このロールピン７には、両把手１，２の後側を拡開方向に付勢するキックばね１１が介挿されている。【００１６】  主把手１のほぼ中間部には、先端（図２において左側）の下側に保持部４ａが設けられた押さえ部材４が、センターピン１０により回動自在に取り付けられている。この保持部４ａは、上述した下顎１Ａの保持部１ａと上下に対向し、両者間で電線を挟動咬持する電線保持機構を構成している。したがって、この保持部４ａも下顎１Ａの保持部１ａと同様に工具本体の側方に突出するように設けられている。また、押さえ部材４の後部には長孔４ｂが設けられ、この長孔４ｂを挿通したリンクピン９でリンク３の一端に連結され、該リンク３の他端は、レバーピン８を介して副把手２の枢支点であるロールピン７の近傍に枢着されている。なお、このリンク３は、レバーピン８に介挿されたキックばね１２で、常にリンクピン９が長孔４ｂの前端（図２において左端）に位置する方向に回動付勢されている。【００１７】  また、押さえ部材４の先端寄りには、上述した調節ねじ１３の先端と当接する突出部４ｃが、保持部４ａより下方に突出するように設けられている。【００１８】  ５は、上述した上刃１４が取り付けられた上刃保持部材であり、その中央部分の長手方向には長孔５ａが透設され、この長孔５ａを挿通したセンターピン１０により主把手１に回動かつ摺動可能に取り付けられている。また、この上刃保持部材５の後部は、上記押さえ部材４の長孔４ａを挿通したリンク���ン１０が貫通しており、このことで上刃保持部材５は押さえ部材４と共にリンク３を介して副把手２に連結されている。【００１９】  ６は、先端に上向きの剥離刃１７が取り付けられた剥離刃保持部材であり、中央部分の前後方向に透設された長孔６ａを挿通したセンターピン１０により、主把手１に該主把手１の軸線方向に沿って移動可能に取り付けられている。また、剥離刃保持部材６の後部には、長孔６ａの後端にセンターピン１０が位置した時の該センターピン１０を中心とするような円弧状の長孔６ｂが透設されており、該長孔６ｂにリンクピン９を挿通させることにより、副把手２を回動させた際、剥離刃保持部材６に、センターピン１０を中心として回動する力が作用しないようにしている。【００２０】  なお、上記のうち、下顎１Ａに固定された下刃１５と、この下刃１５との間で電線を挟み込み、周囲の絶縁被覆を切断するように作用する上刃１４、および前記下刃１４の後方で絶縁被覆に食い込み、上刃１４と共に工具の基方（図２において右方）へと移動し、芯線から絶縁被覆を引き抜くように作用する剥離刃１７とで工具の被覆剥離機構を構成している。【００２１】  次に上記構成を有する本考案の電線被覆の剥離工具の働きを、絶縁被覆の剥離作業手順にしたがって説明する。【００２２】  まず、図２に示すように副把手を開放した状態で工具本体の先端側から図４に示した電線２０の先端をガイド１６のガイド片１６ｃ，１６ｄ，１６ｅ間の凹所１６ａ（または１６ｂ）内に挿入し、位置決め保持させる。この状態で、副把手２を主把手１に近づくように握り締めると、副把手２はキックばね１１の弾発力に抗してロールピン７を中心として反時計回りに回動する。このことで、副把手２のレバーピン８に枢支されているリンク３も上昇移動し、長孔４ｂに係合した先端のリンクピン９を介して押さえ部材４の後端を押し上げる。このことにより、押さえ部材４はセンターピン１０を中心として反時計周りに回動し、上方の保持部４ａは、下方の保持部１ａに向かって閉じられ、やがて上下の保持部４ａ，１ａで図４に示すように電線２０が移動不可に挟持されるものである。同時にこのとき、後端がリンクピン９に枢着された上刃保持部材５もセンターピン１０を中心に反時計周りに回動し、先端に取り付けられた上刃１４が下顎１Ａに設けられた下刃１５に向かって下降し、やがて上刃１４が電線２０を上方から押圧し、上刃１４と下刃１５の先端が図４に示すように電線２０の絶縁被覆２０ｂに食い込む。なお、この動作の際、リンクピン９はキックばね１２の付勢力により、工具の先端方向に付勢されつつ、剥離刃保持部材６の縦方向に設けられた長孔６ｂに沿って上方向に移動するので、剥離刃保持部材６には、センターピン１０回りに移動させる何らの力が作用せず、剥離刃保持部材６はセンターピン１０が長孔６ａの後端に位置した状態に保持される。よって、この剥離刃保持部材６の先端に取り付けられた剥離刃１７は、下刃１５後方の隣接した位置で保持され、上刃１４や上側の保持部４ａで電線２０が下方押圧されることにより、その先端が、図４に示したように電線２０の絶縁被覆２０ｂに食い込む【００２３】  以上のようにして、上刃１４と下刃１５による絶縁被覆２０ｂへの切り込みが所定の深さになると、押さえ部材４に設けられた突出部４ｃが、下顎１Ａに設けられた調節ねじ１３の先端に当接し、このことで押さえ部材４と上刃保持部材５は、それ以上の回動が阻止される。このとき、絶縁被覆２０ｂは上刃１４と下刃１５が食い込んだ箇所でほぼ切断された状態となり、この切断箇所の基方側（図４において左方側）の電線２０が電線保持機構の上下の保持部４ａ，１ａで移動不可に挟持された状態となる。【００２４】  そして、この状態において、押さえ部材４の長孔４ｂと上刃保持部材５の長孔５ａ、および剥離刃保持部材６の長孔６ａは、すべて平行になる。この状態からさらに副把手２をその後端が主把手１に接近する方向に回動させると、レバーピン８で枢着されたリンク３の下端は上昇するが、リンク３の先端はリンクピン９を介して、それ以上の回動が阻止された押さえ部材４の長孔４ｂに係合しているため、リンク３の下端が押し上げられると、リンク３はキックばね１２の弾発力に抗して図２において右回転方向に回動し、リンクピン９は長孔４ｂに沿って右方向へと移動する。このことで該リンクピン９に後端が係合した上刃保持部材５と剥離刃保持部材６は、共に長孔５ａ，６ａに係合したセンターピン１０の案内の下に平行に右側に移動する。このことで、絶縁被覆２０ｂに食い込んだ上刃１４と剥離刃１７も同様に右方向に移動するが、この時、電線２０の基方側（図４において左側）は電線保持機構の保持部４ａ，１ａと下刃１５によりその移動が阻止されているため、上刃１４と下刃１５の間で切断された絶縁被覆２０ｂは、図５に示すように芯線２０ａから引き抜かれることとなる。【００２５】  このようにして芯線２０ａから絶縁被覆２０ｂを引き抜いた後、両把手１，２を握った力を弱めると、上述した動作と逆の動きにより、副把手２がキックばね１１の弾発力によりロールピン７を中心に時計回り方向に回動し、リンク３もキックばね１２の付勢力により反時計回りに回動する。このことで上刃保持部材５と剥離刃保持部材６が工具本体の先端方向へと移動し、さらに副把手２が下方回動すると、今度は、押さえ部材４と上刃保持部材５がセンターピン１０を中心に時計回り方向に回動し、上下の保持部４ａ，１ａが離間方向に移動し、電線保持機構が開放される。よって、先端の絶縁被覆２０ｂが剥離された電線２０をガイドから容易に取り出すことができ、このことで作業が完了する。【００２６】  以上のようにして電線の絶縁被覆が剥離されるものであるが、前述したように電線の絶縁被覆は、従来の塩化ビニル製のものからエコケーブル用に耐燃性や耐熱性、耐薬品性などに優れた種々の材料が使用されるようになっている。そのため、絶縁被覆の厚さや硬さが異なり、上刃１４と下刃１５の絶縁被覆２０ｂへの食い込みが不十分で、円滑な剥離作業が行えなかったり、あるいは、上刃１４と下刃１５が絶縁被覆２０ｂに食い込みすぎ、剥離作業の際、芯線２０ａを傷付けたりするおそれが生じるが、本考案の絶縁被覆の剥離工具では、上刃１４と下刃１５の最接近時の間隙寸法を調節する調節ねじ１３を設けているので、上刃１４と下刃１５の絶縁被覆２０ｂへの食い込みが不十分な場合、調節ねじ１３を下から見て左回転方向に回して調節ねじ１３の先端を下顎１Ａ内に没する方向に移動させれば良く、また反対に上刃１４と下刃１５が絶縁被覆２０ｂに食い込みすぎる場合は、調節ねじ１３を同様に下から見て右回転方向に回し、調節ねじ１３の先端を下顎１Ａ上に突出する方向に移動させれば良い。【００２７】  以上のようにして本考案の電線の絶縁被覆の剥離工具では、従来の塩ビケーブルはもとより、絶縁被覆として従来には見られない材料が用いられたエコケーブルなど種々の電線に対して、その絶縁被覆の剥離が円滑かつ正確に行えるものである。
【産業上の利用可能性】
【００２８】  電気工事者による三相電源の分岐接続やコンセントへの接続などの端末処理に好適に利用され、また、絶縁被覆の剥離が困難なエコケーブルにも対応しているので、環境への影響が少ないエコケーブルの利用が促進される可能性がある。
【符号の説明】
【００２９】１  主把手
１Ａ  下顎
１ａ  保持部
２  副把手
３  リンク
４  押さえ部材
４ａ  保持部
４ｃ  突出部
５  上刃保持部材
６  剥離刃保持部材
７  ロールピン
８  レバーピン
９  リンクピン
１０  センターピン
１３  調節ねじ
１４  上刃
１５  下刃
１６  ガイド
１７  剥離刃
【図１】
0003160163.tif 000003
【図２】
0003160163.tif 000004
【図３】
0003160163.tif 000005
【図４】
0003160163.tif 000006
【図５】
0003160163.tif 000007
【手続補正書】
【提出日】平成22年3月18日(2010.3.18)
【手続補正１】
【補正対象書類名】実用新案登録請求の範囲
【補正対象項目名】全文
【補正方法】変更
【補正の内容】
【実用新案登録請求の範囲】
【請求項１】
下顎を先端に備えた主把手の中間部に副把手を枢着した工具本体の先端側に、両把手の開度を小さくしたとき電線を挟持する上下の保持部からなる電線保持機構と該電線の絶縁被覆を切断して基方に引き出す上下の刃と剥離刃とからなる被覆剥離機構とを設けてなる絶縁被覆剥離工具において、下顎に該下顎に対して接離方向に移動する押さえ部材に設けられた突出部と当接し、上記電線保持機構の上下の保持部と上記被覆剥離機構の上下の刃の最接近時の間隙寸法を調節する調節ねじが設けられたことを特徴とする電線の絶縁被覆剥離工具。